(57)【特許請求の範囲】
【請求項１】
無線通信に必要な無線通信用パラメータを近傍に存在する他の基地局装置から取得するパラメータ取得手段と、前記パラメータ取得手段によって取得した無線通信用パラメータに基づいて、自局の無線通信用パラメータを設定するパラメータ設定手段とを含み、
前記パラメータ取得手段は、前記他の基地局装置までの通信経路における所要到達時間に基づき、近傍か否かを判断し、
符号分割多元接続方式を採用する場合、前記パラメータ設定手段は、前記他の基地局装置から取得したスクランブリングコード以外の、未使用のスクランブリングコードを暫定的な下りスクランブリングコードとして自局に設定し、未使用のものが無ければ最も応答時間の長い他の基地局装置から取得したスクランブリングコードのうち、前記他の基地局装置のスクランブリングコード以外で最も優先度の低いものを、暫定的な下りスクランブリングコードとして設定することを特徴とする基地局装置。
【請求項２】
無線通信に必要な無線通信用パラメータを近傍に存在する他の基地局装置から取得するパラメータ取得ステップと、前記パラメータ取得ステップにおいて取得した無線通信用パラメータに基づいて、自局の無線通信用パラメータを設定するパラメータ設定ステップとを含み、
前記パラメータ取得ステップにおいては、前記他の基地局装置までの通信経路における所要到達時間に基づき、近傍か否かを判断し、
符号分割多元接続方式を採用する場合、前記パラメータ設定ステップにおいては、前記他の基地局装置から取得したスクランブリングコード以外の、未使用のスクランブリングコードを暫定的な下りスクランブリングコードとして自局に設定し、未使用のものが無ければ最も応答時間の長い他の基地局装置から取得したスクランブリングコードのうち、前記他の基地局装置のスクランブリングコード以外で最も優先度の低いものを、暫定的な下りスクランブリングコードとして設定することを特徴とする無線通信用パラメータ設定方法。
【発明の詳細な説明】
【技術分野】
【０００１】
本発明は基地局装置、無線通信用パラメータ設定方法に関し、特に複数のユーザが無線伝送路を共有して同時に通信を行う多元接続方式における基地局装置、暫定的な無線通信用パラメータ設定方法に関する。
【背景技術】
【０００２】
複数のユーザが無線伝送路を共有して同時に通信を行う多元接続方式としては、符号分割多元接続方式（code division multiple access；ＣＤＭＡ）、時分割多元接続方式（time division multiple access；ＴＤＭＡ）、周波数分割多元接続方式（Frequency Division Multiple Access；ＦＤＭＡ）などが知られている。
例えば、符号分割多元接続方式を用いて同一周波数帯域を複数の通信波で共有する通信システムにおいては、個々の通信波はランダムな符号系列である拡散コードにより区別される。拡散コードは、検出特性（自己相関特性）および、異なる拡散コード間の識別特性（相互相関特性）が良いほどシステム効率が向上する。このため、系列長で決まる全てのランダムな符号組合せを用いることは無く、所要特性を得る符号系列を選択して用いる。したがって、高いシステム効率が求められる場合には拡散コードは限定され、割当可能な拡散コード数はシステムが想定する全同時通信波数を下回る。
【０００３】
特に、Ｗ−ＣＤＭＡ（Wideband CDMA）セルラシステムの下り回線で用いる拡散コードには、高い検出特性や識別特性に加えて、低送信電力でも高品質な通信を実現するために異なる拡散コード間の相互干渉を低減できる符号直交性が求められる。このため、割当可能な拡散コード数は上り回線よりも少なくなる。この少数の拡散コードは有効利用のため全セルで繰返し使用されるが、セル間での混信を防ぐため、セル毎に異なるコードを重畳して用いる。
【０００４】
Ｗ−ＣＤＭＡセルラシステムでは、ユーザのデータを実際に広帯域拡散する拡散コードをチャネライゼーションコード、セル毎に重畳するセル間混信防止用のコードをスクランブリングコードと呼んでいる。
セルを区別するスクランブリングコード数も無限ではなく、Ｗ−ＣＤＭＡセルラシステムにおいても５１２種類が規定されているのみであり、混信を防ぐため同一種のスクランブリングコードが近距離で使われないように設定される必要がある。
【０００５】
一般的なセルラシステムでは、セルを形成するための基地局装置（以下、単に基地局と呼ぶ）の位置や装置・アンテナ構成を設定した計算機シミュレーションにより、基地局ごとに電波の到達エリアを推定し、到達エリアがオーバラップする基地局同士に同一種のスクランブリングコードが設定されないように、計算機の支援を受けながら無線ネットワーク設計者が手動で設定していた。このため、トラヒックの増加に対応して新たに基地局を設置する場合には、設計者が設定を再実施する必要があった。
【０００６】
また、計算機シミュレーションの推定に基づいてスクランブリングコードが設定されるため、実際の現場と電波の到達エリアに誤差が生じた場合、同一種のスクランブリングコード間に混信が発生して、設定をやり直す必要がある。したがって、これらの作業には多大な時間、設計者の労力、現場確認者の手間が費やされる。
なお、基地局が自律的に拡散符号を設定する技術もある（例えば、特許文献１）。また、移動局が基地局の情報を取得し、自局が接続している基地局に報告し、基地局で情報を自動的に更新する技術が特許文献２に記載されている。
【特許文献１】特開２００５−１７５６１１号公報
【特許文献２】特開２００１−５４１５８号公報
【発明の開示】
【発明が解決しようとする課題】
【０００７】
ところで、基地局で使用する下りスクランブリングコードを自動的に決定する方法が特願２００４−３２９３６０号の明細書に記載されている。この方法では、最初に、Ｗ−ＣＤＭＡセルラシステムの基地局が、暫定的な下りスクランブリングコードにより、基地局の識別子を送信し、移動局からの前記基地局識別子の受信報告に基づいて、恒久的な下りスクランブリングコードを決定する。
【０００８】
この方法では、移動局から前記基地局識別子の受信報告を得るため、新設基地局専用の下りスクランブリングコードをシステムで予め確保しておく。このようにすることにより、新設基地局と新設基地局の周辺に位置する基地局において、同一種の下りスクランブリングコードが設定されないようにしている。
しかしながら、上述した、下りスクランブリングコードを自動的に決定する方法では、新設基地局専用の下りスクランブリングコードをシステムで予め確保しておく必要があるため、新設基地局の数に依らず、恒久的に使用する下りスクランブリングコードが制限される問題がある。
【０００９】
一方、確保する新設基地局専用の下りスクランブリングコードの数によっては、既設の基地局で使用されている下りスクランブリングコードの数に依らず、他の新設基地局が新設基地局専用の下りスクランブリングコードを返納するまでの間、基地局を新設できない問題がある。
しかしながら、特許文献１に記載されている、下りスクランブリングコードを自動的に決定する方法では、符号分割多元接続方式（ＣＤＭＡ）における下りスクランブリングコードを対象としており、時分割多元接続方式（ＴＤＭＡ）におけるタイムスロットの設定や周波数分割多元接続方式（ＦＤＭＡ）における周波数帯の設定は対象外である。
【００１０】
また、特許文献２に記載されている技術においては、移動局の存在が必須であり、パラメータの自動設定を基地局間の処理のみで行うことはできない。
本発明は上述した問題点を解決するためになされたものであり、その目的は近傍に存在する他の基地局装置から取得したパラメータに基づいて、無線通信に必要なパラメータを暫定的に自動設定することのできる基地局装置、無線通信用パラメータ設定方法を提供することである。
【課題を解決するための手段】
【００１１】
本発明による基地局装置は、無線通信に必要な無線通信用パラメータを近傍に存在する他の基地局装置から取得するパラメータ取得手段と、前記パラメータ取得手段によって取得した無線通信用パラメータに基づいて、自局の無線通信用パラメータを設定するパラメータ設定手段とを含み、前記パラメータ取得手段は、前記他の基地局装置までの通信経路における所要到達時間に基づき、近傍か否かを判断し、符号分割多元接続方式を採用する場合、前記パラメータ設定手段は、前記他の基地局装置から取得したスクランブリングコード以外の、未使用のスクランブリングコードを暫定的な下りスクランブリングコードとして自局に設定し、未使用のものが無ければ最も応答時間の長い他の基地局装置から取得したスクランブリングコードのうち、前記他の基地局装置のスクランブリングコード以外で最も優先度の低いものを、暫定的な下りスクランブリングコードとして設定することを特徴とする。このように構成すれば、所要到達時間によって新設基地局の近傍に位置すると判定された既設基地局の無線通信用パラメータに基づいて、新設された基地局が暫定的に使用する無線通信用パラメータを、自動設定できる。また、このように構成すれば、符号分割多元接続方式を採用する場合でも、新設された基地局が暫定的に使用する無線通信用パラメータを自動設定できる。
【００１６】
本発明による無線通信用パラメータ設定方法は、無線通信に必要な無線通信用パラメータを近傍に存在する他の基地局装置から取得するパラメータ取得ステップと、前記パラメータ取得ステップにおいて取得した無線通信用パラメータに基づいて、自局の無線通信用パラメータを設定するパラメータ設定ステップとを含み、前記パラメータ取得ステップにおいては、前記他の基地局装置までの通信経路における所要到達時間に基づき、近傍か否かを判断し、符号分割多元接続方式を採用する場合、前記パラメータ設定ステップにおいては、前記他の基地局装置から取得したスクランブリングコード以外の、未使用のスクランブリングコードを暫定的な下りスクランブリングコードとして自局に設定し、未使用のものが無ければ最も応答時間の長い他の基地局装置から取得したスクランブリングコードのうち、前記他の基地局装置のスクランブリングコード以外で最も優先度の低いものを、暫定的な下りスクランブリングコードとして設定することを特徴とする。この方法を採用すれば、近傍の既設基地局の無線通信用パラメータに基づいて、新設された基地局が暫定的に使用する無線通信用パラメータを、自動設定できる。また、この方法を採用すれば、符号分割多元接続方式を採用する場合でも、新設された基地局が暫定的に使用する無線通信用パラメータを自動設定できる。
【発明の効果】
【００１７】
以上説明したように本発明は、無線通信に必要な無線通信用パラメータを近傍に存在する他の基地局装置から取得し、取得した無線通信用パラメータに基づいて、自局の無線通信用パラメータを設定することにより、近傍の既設基地局の無線通信用パラメータに基づいて、新設された基地局が暫定的に使用する無線通信用パラメータを、自動設定できるという効果がある。
【発明を実施するための最良の形態】
【００１８】
以下、本発明の実施の形態を、図面を参照して説明する。なお、以下の説明において参照する各図では、同一機能を有する部分には同一符号を付し、繰り返しの説明は省略する。
（無線アクセスネットワークの構成例）
本実施形態にかかる無線アクセスネットワークの構成例について、図１を参照して説明する。同図（ａ）は基地局新設前の状態、同図（ｂ）は基地局新設後の状態、をそれぞれ示している。
【００１９】
本例にかかる無線アクセスネットワークでは、隣接する複数のセルにおいて、セルに所属する移動局とセルを形成する各基地局が同一周波数帯を共有して通信を行うＣＤＭＡ（Code Division Multiple Access）セルラシステムが採用されている。このネットワークは、基地局１００ｉ（ｉは自然数）と、制御ルータ２００ｋ（ｋは自然数）とを含んで構成されている。本例では、同図に示されているように、基地局１００１〜１００３と、制御ルータ２００１及び２００２とがネットワークに設けられている。そして、セルを形成する基地局毎に異なる下りスクランブリングコード、すなわち下り回線を用いて送信する際に使用する拡散符号が設定される。また、セルを形成する基地局毎に、基地局が形成するセルに所属する移動局に報知する、セルの周辺に位置するセルを形成する周辺基地局の基地局識別子とスクランブリングコードとの組が設定される。
【００２０】
同図（ａ）を参照すると、本例では、基地局１００１において、スクランブリングコード及び基地局識別子を報知する対象の基地局は、基地局１００２及び基地局１００１（つまり自局）である。基地局１００２において、スクランブリングコード及び基地局識別子を報知する対象の基地局は、基地局１００１及び基地局１００２（つまり自局）である。基地局１００３において、スクランブリングコード及び基地局識別子を報知する対象の基地局は、基地局１００３（つまり自局のみ）である。
【００２１】
なお、本例にかかる無線アクセスネットワークは、ＣＤＭＡのＦＤＤ（frequency Division Duplex）方式とＴＤＤ（Time Division Duplex）方式を想定している。また、本実施例にかかる無線アクセスネットワークは、ＣＤＭＡ（Code Division Multiple Access）セルラシステム以外にも、ＴＤＭＡ（Time Division Multiple Access）セルラシステムやＦＤＭＡ（Frequency Division Multiple Access）セルラシステムを想定してもよい。
【００２２】
各基地局１００１、１００２および１００３は制御ルータ２００１および２００２のいずれかに収容される。本例では、図１（ａ）に示されているように、当初は、基地局１００１および１００２が制御ルータ２００１に、基地局１００３が制御ルータ２００２に収容される。その後、同図（ｂ）に示されているように、基地局１００４が新設され、制御ルータ２００１に収容される。この結果、同図（ｂ）を参照すると、本例では、基地局１００１において、スクランブリングコード及び基地局識別子を報知する対象の基地局は、基地局１００２、基地局１００４及び基地局１００１（つまり自局）である。基地局１００２において、スクランブリングコード及び基地局識別子を報知する対象の基地局は、基地局１００１、基地局１００４及び基地局１００２（つまり自局）である。基地局１００３において、スクランブリングコード及び基地局識別子を報知する対象の基地局は、基地局１００３（つまり自局のみ）である。基地局１００４において、スクランブリングコード及び基地局識別子を報知する対象の基地局は、基地局１００１、基地局１００２及び基地局１００４（つまり自局）である。
【００２３】
基地局１００１ないし１００４は、基地局どうしの組合せにおいて、制御ルータ２００を通じて相互に接続される。また、基地局１００は、自基地局が報知する周辺基地局の基地局識別子とスクランブリングコードとの組を保持し、その内容について基地局どうしで照会することができる。
なお、基地局１００ｉの識別子などのシステム全体で一意性を保持する必要があるものについてはサーバ等を設けて管理し、制御ルータから照会できるようにしてもよい。例えば、図２に示されているように、各基地局の識別子を管理するためのサーバ３００を設け、インターネット４００を介して、各基地局１００ｉや、制御ルータ２００ｋからサーバ３００にアクセスして照会を行うようにすれば良い。
【００２４】
同図中のサーバ３００は、制御ルータ２００ｋおよび基地局１００ｉと論理的に繋がっているが、制御ルータと基地局との間のノード構成にあるような階層上の関係を採用しなくてもよい。すなわち、サーバ３００と基地局１００ｉとの間で基地局識別子を送受する場合には、制御ルータ２００ｋを介さずにデータ転送ができるように構成してもよい。逆に、制御ルータ２００ｋを介して基地局識別子を送受しなければならない構成にしてもよい。
【００２５】
また、設けるサーバの数については、特に制限はない。同図に示されているようにシステム全体でサーバを１つ設けてもよいし、例えば負荷分散を行うことを目的としてサーバを複数設けてもよい。
なお、図１及び図２では、基地局１００１、１００２及び１００４が制御ルータ２００１の配下に所属し、基地局１００３が制御ルータ２００２の配下に所属しているが、このような所属関係に限定されず、どのような所属関係であっても良い。
【００２６】
（基地局の構成例）
次に、図１中の基地局１００ｉの構成例について、図３を参照して説明する。図３において、本例の基地局１００ｉは、各種信号を外部に送信するための送信部１０２と、各種信号を外部から受信するための受信部１０４と、送信部１０２と接続されたスクランブリングコード設定部１０６と、受信部１０４およびスクランブリングコード設定部１０６と接続されたスクランブリングコード検索部１０８とを含んで構成されている。
このような構成において、制御ルータ２００ｋから当該基地局の識別子を受信部１０４により受信する。
【００２７】
スクランブリングコード検索部１０８において、当該基地局以外の基地局に向けて、当該基地局以外の基地局が報知する基地局識別子と下りスクランブリングコードとの組を当該基地局に通知するための要求を、送信部１０２により送信する。さらに、スクランブリングコード検索部１０８において、受信部１０４により受信した、当該基地局以外の基地局が報知する基地局識別子と下りスクランブリングコードとの組のうち、当該基地局と当該基地局以外の基地局との間の上位ノードを介した経路長に基づいて近傍と判定した当該基地局以外の基地局が報知する基地局識別子と下りスクランブリングコードとの組が設定される。スクランブリングコード検索部１０８に設定された、当該基地局以外の近傍と判定された基地局が報知する基地局識別子と下りスクランブリングコードとの組に基づいて、暫定的な下りスクランブリングコードがスクランブリングコード設定部１０６において設定される。
送信部１０２において、設定された下りスクランブリングコードで拡散した制御チャネルにより基地局識別子の送信を開始する。
【００２８】
（制御ルータの構成例）
次に、図１中の制御ルータ２００ｋの構成について、図４を参照して説明する。図４において、本例の制御ルータ２００ｋは、各種信号を外部に送信するための送信部２０２と、各種信号を外部から受信するための受信部２０４と、送信部２０２および受信部２０４と接続された基地局識別子割り当て部２０６とを含んで構成されている。
このような構成において、新設基地局の識別子の割り当て要求が受信部２０４により受信される。基地局識別子割り当て部２０６は、サーバに基地局識別子の割り当て要求を送信部２０２により送信する。その後、サーバから送信された新設基地局の識別子が受信部２０４により受信され、基地局識別子割り当て部２０６は、新設基地局に基地局識別子を送信部２０２により送信する。
【００２９】
（基地局が新設された場合）
次に、基地局が新設され、新設基地局が暫定的なスクランブリングコードを自動設定する場合の動作について、図５を参照して説明する。同図には、新設基地局１００と制御ルータ２００と既設基地局１００との信号のやり取りが示されている。
同図において、新設基地局１００４は、制御ルータ２００１と物理的に結線されて電源が投入されると、制御ルータ２００１に対して新設基地局１００４の識別子を割り当てるように要求する（ステップＳ４０２）。制御ルータ２００１の基地局識別子割り当て部２０６は、割り当て可能な基地局識別子をサーバに問い合わせ、新設基地局１００４にサーバから受信した基地局識別子を付与する（ステップＳ４０４）。
【００３０】
さらに、新設基地局１００４は、既設基地局１００１〜１００３に対し、既設基地局１００１〜１００３が報知している基地局識別子と下りスクランブリングコードとの組を通知するように要求する。なお、基地局識別子と下りスクランブリングコードとの組を要求する信号は、新設基地局１００４から上位ノードを介して接続される既設基地局１００１〜１００３と新設基地局１００４との間の経路においてある一定のルータ数だけ中継が行われた場合、廃棄される（ステップＳ４０６）。
【００３１】
この廃棄を実現するためには、Ｈｏｐ数を定めておき、中継されるたびにそれをデクリメントする。すなわち、図６に示されているように、基地局識別子と下りスクランブリングコードとの組を要求するための要求信号を送信する際のＨｏｐ数（Time To Live；TTL）を定めておき、途中経路に位置する各ルータでデクリメントすれば、一定のルータ数だけ中継が行われた後に廃棄することができる。同図の例では、TTLの初期値を「Ａ」としており、ルータを経由する毎に、「Ａ」、「Ａ−１」、「Ａ−２」…とデクリメントされる。そして、TTLの値が「０」なった段階でそれより先のルータには要求信号が送信されず、要求信号は廃棄される。
【００３２】
図５に戻り、既設基地局１００１〜１００３は、自基地局が報知する基地局識別子と下りスクランブリングコードとの組を付与する（ステップＳ４０８）。
さらに、新設基地局１００４は、既設基地局１００１ないし１００３のうち、応答時間がある一定の時間以下となった既設基地局が報知する基地局識別子と下りスクランブリングコードとの組に基づいて、暫定的な下りスクランブリングコードを決定する（ステップＳ４１０）。その後、新設基地局１００４は、基地局識別子と下りスクランブリングコードとの組の要求に対する応答時間がある一定の時間以下となった既設基地局に対し、決定した暫定下りスクランブリングコードを付与する（ステップＳ４１２）。
以上のように、新設基地局は、無線通信に必要な無線通信用パラメータを近傍に存在する他の基地局（既設基地局）から取得し、取得した無線通信用パラメータに基づいて、自局の無線通信用パラメータを設定する。
【００３３】
（基地局が報知する情報の例）
次に、既設基地局１００１ないし１００３が、自基地局が報知する基地局識別子と下りスクランブリングコードとの組を新設基地局１００４に通知する直前における、各基地局１００が報知する基地局識別子と下りスクランブリングコードとの組について、図７を参照して説明する。
【００３４】
基地局が報知する基地局識別子（ＢＳ＿ＩＤ）と下りスクランブリングコード（Ｓｃ）との組は、当該基地局の周辺に存在する基地局の識別子や下りスクランブリングコード等が優先順位付けされている。基地局の識別子と下りスクランブリングコードとの組を設定できる数は、システムにより、例えば「３２」に制限される。
同図を参照すると、既設基地局１００１が報知する基地局識別子と下りスクランブリングコードとの組として、下りスクランブリングコードが「Ｓｃ＃ａ」で基地局識別子が「ＢＳｉｄ＃ａ」である基地局や、下りスクランブリングコードが「Ｓｃ＃ｂ」で基地局識別子がＢＳｉｄ＃ｂである基地局が設定されている。さらに、下りスクランブリングコードが「Ｓｃ＃１」、基地局識別子が「ＢＳｉｄ＃１」である自基地局１００１も設定されている。
【００３５】
既設基地局１００２が報知する基地局識別子と下りスクランブリングコードとの組として、下りスクランブリングコードが「Ｓｃ＃３」で基地局識別子が「ＢＳｉｄ＃３」である基地局や、下りスクランブリングコードが「Ｓｃ＃ｃ」で基地局識別子が「ＢＳｉｄ＃ｃ」である基地局が設定されている。さらに、下りスクランブリングコードが「Ｓｃ＃２」で基地局識別子が「ＢＳｉｄ＃２」である自基地局１００２も設定されている。
【００３６】
既設基地局１００３が報知する基地局識別子と下りスクランブリングコードとの組として、下りスクランブリングコードが「Ｓｃ＃２」で基地局識別子が「ＢＳｉｄ＃２」である基地局や、下りスクランブリングコードが「Ｓｃ＃ｄ」で基地局識別子が「ＢＳｉｄ＃ｄ」である基地局が設定されている。さらに、下りスクランブリングコードが「Ｓｃ＃３」で基地局識別子が「ＢＳｉｄ＃３」である自基地局１００３も設定されている。
なお、新設の基地局１００４には、自基地局が報知する基地局識別子と下りスクランブリングコードとの組は未だ設定されていない。
【００３７】
（暫定的な下りスクランブリングコードの決定）
次に、新設基地局１００４が、既設基地局１００１ないし１００３が報知する基地局識別子と下りスクランブリングコードとの組から暫定的な下りスクランブリングコードを決定する方法について、図８を参照して説明する。
同図を参照すると、新設基地局１００４は、既設基地局１００１ないし１００３がそれぞれ報知している、基地局識別子と下りスクランブリングコードとの組を取得する。本例では、報知されている下りスクランブリングコード「Ｓｃ＃ａ」、「Ｓｃ＃ｂ」、「Ｓｃ＃ｃ」、「Ｓｃ＃ｄ」、「Ｓｃ＃１」、「Ｓｃ＃２」、「Ｓｃ＃３」を取得する。そして、新設基地局１００４は、これら報知されている下りスクランブリングコード以外の下りスクランブリングコードを、暫定的な下りスクランブリングコード「Ｓｃ＃ｔｍｐ」として決定し、これを自局に設定する。つまり、未使用の（空きの）下りスクランブリングコードが有る場合は、それを暫定的な下りスクランブリングコード「Ｓｃ＃ｔｍｐ」として設定する。
【００３８】
仮に、未使用の（空きの）下りスクランブリングコードが無い場合には、最も応答時間の長い既設基地局１００３が報知する基地局識別子と下りスクランブリングコードとの組のうち、既設基地局１００１ないし１００３のスクランブリングコード「Ｓｃ＃１」、「Ｓｃ＃２」、「Ｓｃ＃３」以外で最も優先順位の低い下りスクランブリングコードを暫定的な下りスクランブリングコード「Ｓｃ＃ｔｍｐ」として決定し、これを自局に設定する。本例では、応答時間Ａ、Ｂ、Ｃのうち、長い応答時間Ｃの既設基地局１００３が報知する基地局識別子と下りスクランブリングコードとの組に基づき、下りスクランブリングコード「Ｓｃ＃ｄ」を自局に設定する。
【００３９】
ここで、「応答時間」とは、新規基地局１００４が、各基地局１００の報知する基地局識別子と下りスクランブリングコードとの組を基地局１００に要求してから、各基地局１００が報知する基地局識別子と下りスクランブリングコードとの組が通知されるまでの時間である。ただし、その「応答時間」の代わりに、新規基地局が各基地局１００の報知する基地局識別子と下りスクランブリングコードとの組を基地局１００に要求する信号や各基地局１００が自基地局の報知する基地局識別子と下りスクランブリングコードとの組を新規基地局に通知する信号が経由する「ルータ数」を基準に判断してもよい。
【００４０】
このようにすることにより、新設基地局の下りスクランブリングコード設定に際し、新設基地局と、その新設基地局と上位ノードを介して接続される基地局との間の経路長に基づいて近傍と判定された基地局が報知する基地局識別子と下りスクランブリングコードとの組を参照して、暫定的な下りスクランブリングコードを設定することができ、システムで予め下りスクランブリングコードを確保する必要がない。この方法は、新設基地局で恒久的な下りスクランブリングコードを決定するため移動局に基地局識別子の測定報告を送信させる際に、システムで予め確保された下りスクランブリングコードを、暫定的な下りスクランブリングコードとする方法とは異なる。
【００４１】
（変形例）
上述した実施形態では、ＣＤＭＡシステムの場合に、他の基地局の下りスクランブリングコードと重複しない下りスクランブリングコードを、暫定的な下りスクランブリングコードとして設定しているが、ＴＤＭＡシステムやＦＤＭＡシステムについても本発明を適用することができる。すなわち、ＴＤＭＡシステムの場合には暫定的な下りタイムスロットの設定、ＦＤＭＡシステムの場合には暫定的な下り周波数帯域の設定についても同様に、暫定的な無線通信用のパラメータを設定することができる。この場合、下りタイムスロットや下り周波数帯域を基地局識別子と共に各基地局から報知し、この報知された情報を新設された基地局が取得し、その取得内容に基づいて、重複しない下りタイムスロットや重複しない下り周波数帯域を、暫定的な下りタイムスロットや下り周波数帯域として設定すればよい。
【００４２】
（無線通信用パラメータ設定方法）
上述した基地局装置を用いて構成した無線アクセスネットワークにおいては、以下のような無線通信用パラメータ設定方法が実現されている。すなわち、
無線通信に必要な無線通信用パラメータを近傍に存在する他の基地局装置から取得するパラメータ取得ステップと、前記パラメータ取得ステップにおいて取得した無線通信用パラメータに基づいて、自局の無線通信用パラメータを設定するパラメータ設定ステップとを含み、前記パラメータ取得ステップにおいては、前記他の基地局装置までの通信経路における所要到達時間に基づき、近傍か否かを判断する無線通信用パラメータ設定方法が実現されている。また、符号分割多元接続方式を採用する場合、前記パラメータ設定ステップにおいては、前記他の基地局装置から取得したスクランブリングコード以外の、未使用のスクランブリングコードを暫定的な下りスクランブリングコードとして自局に設定し、未使用のものが無ければ最も応答時間の長い他の基地局装置から取得したスクランブリングコードのうち、前記他の基地局装置のスクランブリングコード以外で最も優先度の低いものを、暫定的な下りスクランブリングコードとして設定するようにしてもよい。これらのような方法を採用すれば、近傍の既設基地局の無線通信用パラメータに基づいて、新設された基地局が暫定的に使用する無線通信用パラメータを、自動設定できる。
【産業上の利用可能性】
【００４３】
本発明は、複数のユーザが無線伝送路を共有して同時に通信を行う多元接続方式のシステムに適用できる。
【図面の簡単な説明】
【００４４】
【図１】本発明の実施形態にかかる基地局が新設される場合の無線アクセスネットワークの構成を示す説明図である。
【図２】図１の無線アクセスネットワークにおいて、各基地局の識別子を管理するためのサーバを追加した構成例を示す図である。
【図３】本発明の実施形態にかかる基地局の構成を示すブロック図である。
【図４】本発明の実施形態にかかる制御ルータの構成を示すブロック図である。
【図５】本発明の実施形態にかかる基地局が新設される場合の処理を示すシーケンス図である。
【図６】基地局識別子と下りスクランブリングコードとの組を要求する信号について、一定のルータ数だけ中継が行われた場合に廃棄を行うための手法の一例を示す図である。
【図７】新設基地局が既設基地局の報知する基地局識別子とスクランブリングコードとの組を要求した時点における、各基地局の報知する基地局識別子とスクランブリングコードとの組を示す説明図である。
【図８】既設基地局が報知する基地局識別子とスクランブリングコードに基づいた暫定スクランブリングコードの決定処理を示す説明図である。
【符号の説明】
【００４５】
１０２、２０２  送信部
１０４、２０４  受信部
１０６  スクランブリングコード設定部
１０８  スクランブリングコード検索部
２０６  基地局識別子割り当て部
３００  サーバ
４００  インターネット
１００１〜１００４  基地局
２００１、２００２  制御ルータ
【図１】
0004704882.tif 000002
【図２】
0004704882.tif 000003
【図３】
0004704882.tif 000004
【図４】
0004704882.tif 000005
【図５】
0004704882.tif 000006
【図６】
0004704882.tif 000007
【図７】
0004704882.tif 000008
【図８】
0004704882.tif 000009